(57)【要約】      （修正有）【課題】三相交流電圧の電力供給源の状態を判定する装置の構成を簡素化する。【解決手段】電源装置は、三相交流電圧の瞬時電圧をそれぞれ測定する電圧測定部と、三相交流電圧の瞬時電圧のｎ乗和（但しｎは正の偶数）に応じた比較対象値を基準値と比較した結果に基づいて、三相交流電圧の電力供給源の状態を判定する判定部と、を備える。【選択図】図１
2020089017.tif 000002
【特許請求の範囲】
【請求項１】
三相交流電圧の瞬時電圧をそれぞれ測定する電圧測定部と、
前記三相交流電圧の瞬時電圧のｎ乗和（但しｎは正の偶数）に応じた比較対象値を基準値と比較した結果に基づいて、前記三相交流電圧の電力供給源の状態を判定する判定部と、
を備える装置。
【請求項２】
前記判定部は、
前記比較対象値が第１基準時間にわたって第１基準値を断続的に下回ったことに応じて前記電力供給源を異常状態と判定する第１判定部と、
前記比較対象値が前記第１基準値よりも小さい第２基準値を下回ったことに応じて前記電力供給源を異常状態と判定する第２判定部と、
を有する、請求項１に記載の装置。
【請求項３】
前記第１判定部は、前記第１基準時間の時間幅を有するタイムウィンドウを逐次シフトし、当該タイムウィンドウ内の複数のタイミングそれぞれでの前記比較対象値が前記第１基準値を断続的に下回ったことに応じて前記電力供給源を異常状態と判定する、請求項２に記載の装置。
【請求項４】
前記第１判定部は、前記電力供給源を正常状態と判定している場合に、前記第１基準時間よりも短い第２基準時間にわたり前記比較対象値が連続的に前記第１基準値以上である期間が前記タイムウィンドウ内に存在する場合には、前記電力供給源が異常状態になったとは判定しない、請求項３に記載の装置。
【請求項５】
前記第１判定部は、前記第１基準時間内に前記比較対象値が前記第１基準値を下回った回数が基準数より多いことに応じて前記電力供給源を異常と判定する、請求項２〜４のいずれか一項に記載の装置。
【請求項６】
前記判定部は、前記三相交流電圧の整数分の１の周期で前記比較対象値を算出して判定を行う、請求項２〜５のいずれか一項に記載の装置。
【請求項７】
請求項２〜６のいずれか一項に記載の装置と、
前記装置の前記判定部による判定結果に基づいて、三相交流電圧の第１電力供給源および第２電力供給源との間で使用対象を切り替える切替部と、
を備える電源装置。
【請求項８】
前記判定部は、前記第１電力供給源の状態を判定し、
前記切替部は、
前記判定部により前記第１電力供給源が正常状態であると判定される場合には前記第１電力供給源を使用対象とし、
前記判定部により前記第１電力供給源が異常状態であると判定される場合には、前記第２電力供給源を使用対象とする、請求項７に記載の電源装置。
【請求項９】
前記判定部は、前記第１電力供給源を異常状態と判定している場合に、前記第１電力供給源についての前記比較対象値が前記第１基準時間にわたって連続的に前記第１基準値以上であることに応じて、前記第１電力供給源が正常状態になったと判定する、請求項８に記載の電源装置。
【請求項１０】
前記判定部は、前記第１電力供給源が正常状態から異常状態になったと判定する場合の前記第１基準値よりも、前記第１電力供給源が異常状態から正常状態になったと判定する場合の前記第１基準値を高くする、請求項８または９に記載の電源装置。
【請求項１１】
前記切替部は、切り替え頻度が基準頻度を超えたことに応じて、前記判定部による判定結果によらず前記第２電力供給源を使用対象とする、請求項８〜１０のいずれか一項に記載の電源装置。
【請求項１２】
正側出力端子および負側出力端子の間に順次接続された正側キャパシタおよび負側キャパシタと、
前記正側出力端子および前記負側出力端子の間に前記正側キャパシタおよび前記負側キャパシタと並列に順次接続された、三相交流電源の相ごとの正側半導体スイッチおよび負側半導体スイッチと、
各々が交流入力端子を有し、前記交流入力端子と前記正側出力端子および前記負側出力端子との間に流れる電流をそれぞれ整流する複数の整流回路と
をさらに備え、
前記複数の整流回路のそれぞれは、
三相交流電源の相ごと、かつ、前記第１電力供給源および前記第２電力供給源のそれぞれについて設けられ、
前記交流入力端子および前記正側出力端子の間に接続され、前記交流入力端子側から前記正側出力端子側へと向かう順方向の導通状態を制御可能であり、逆方向の電流を遮断する正側整流器と、
前記交流入力端子および前記負側出力端子の間に接続され、前記負側出力端子側から前記交流入力端子側へと向かう順方向の導通状態を制御可能であり、逆方向の電流を遮断する負側整流器と
を有する、請求項７〜１１のいずれか一項に記載の電源装置。
【請求項１３】
前記複数の整流回路のそれぞれの前記正側整流器および前記負側整流器は、サイリスタである請求項１２に記載の電源装置。
【請求項１４】
三相交流電圧の瞬時電圧をそれぞれ測定する電圧測定段階と、
前記三相交流電圧の瞬時電圧のｎ乗和（但しｎは正の偶数）に応じた比較対象値を基準値と比較した結果に基づいて、前記三相交流電圧の電力供給源の状態を判定する判定段階と、
を備える方法。
【請求項１５】
コンピュータに
三相交流電圧の瞬時電圧をそれぞれ測定する電圧測定段階と、
前記三相交流電圧の瞬時電圧のｎ乗和（但しｎは正の偶数）に応じた比較対象値を基準値と比較した結果に基づいて、前記三相交流電圧の電力供給源の状態を判定する判定段階と、
を実行させるプログラム。
【発明の詳細な説明】
【技術分野】
【０００１】
本発明は、装置、電源装置、方法およびプログラムに関する。
【背景技術】
【０００２】
従来、三相交流電圧の瞬時電圧の二乗和のリップルを検出することによって電源の欠相を検出する技術が提案されている（例えば、特許文献１参照）。この技術では、コンデンサと抵抗による微分回路を用いてリップルを検出している。
特許文献１  特開平６−１６５３６４号公報
【発明の概要】
【発明が解決しようとする課題】
【０００３】
しかしながら、従来の技術では、構成が複雑化してしまう。
【課題を解決するための手段】
【０００４】
上記課題を解決するために、本発明の第１の態様においては、装置が提供される。装置は、三相交流電圧の瞬時電圧をそれぞれ測定する電圧測定部を備えてよい。装置は、三相交流電圧の瞬時電圧のｎ乗和（但しｎは正の偶数）に応じた比較対象値を基準値と比較した結果に基づいて、三相交流電圧の電力供給源の状態を判定する判定部を備えてよい。
【０００５】
判定部は、比較対象値が第１基準時間にわたって第１基準値を断続的に下回ったことに応じて電力供給源を異常状態と判定する第１判定部を有してよい。判定部は、比較対象値が第１基準値よりも小さい第２基準値を下回ったことに応じて電力供給源を異常状態と判定する第２判定部を有してよい。
【０００６】
第１判定部は、第１基準時間の時間幅を有するタイムウィンドウを逐次シフトし、当該タイムウィンドウ内の複数のタイミングそれぞれでの比較対象値が第１基準値を断続的に下回ったことに応じて電力供給源を異常状態と判定してよい。
【０００７】
第１判定部は、電力供給源を正常状態と判定している場合に、第１基準時間よりも短い第２基準時間にわたり比較対象値が連続的に第１基準値以上である期間がタイムウィンドウ内に存在する場合には、電力供給源が異常状態になったとは判定しなくてよい。
【０００８】
第１判定部は、第１基準時間内に比較対象値が第１基準値を下回った回数が基準数より多いことに応じて電力供給源を異常と判定してよい。
【０００９】
判定部は、三相交流電圧の整数分の１の周期で比較対象値を算出して判定を行ってよい。
【００１０】
本発明の第２の態様においては、電源装置が提供される。電源装置は、第１の態様の装置を備えてよい。電源装置は、装置の判定部による判定結果に基づいて、三相交流電圧の第１電力供給源および第２電力供給源との間で使用対象を切り替える切替部を備えてよい。
【００１１】
判定部は、第１電力供給源の状態を判定してよい。切替部は、判定部により第１電力供給源が正常状態であると判定される場合には第１電力供給源を使用対象としてよい。切替部は、判定部により第１電力供給源が異常状態であると判定される場合には、第２電力供給源を使用対象としてよい。
【００１２】
判定部は、第１電力供給源を異常状態と判定している場合に、第１電力供給源についての比較対象値が第１基準時間にわたって連続的に第１基準値以上であることに応じて、第１電力供給源が正常状態になったと判定してよい。
【００１３】
判定部は、第１電力供給源が正常状態から異常状態になったと判定する場合の第１基準値よりも、第１電力供給源が異常状態から正常状態になったと判定する場合の第１基準値を高くしてよい。
【００１４】
切替部は、切り替え頻度が基準頻度を超えたことに応じて、判定部による判定結果によらず第２電力供給源を使用対象としてよい。
【００１５】
電源装置は、正側出力端子および負側出力端子の間に順次接続された正側キャパシタおよび負側キャパシタを備えてよい。電源装置は、正側出力端子および負側出力端子の間に正側キャパシタおよび負側キャパシタと並列に順次接続された、三相交流電源の相ごとの正側半導体スイッチおよび負側半導体スイッチを備えてよい。電源装置は、各々が交流入力端子を有し、交流入力端子と正側出力端子および負側出力端子との間に流れる電流をそれぞれ整流する複数の整流回路を備えてよい。
複数の整流回路のそれぞれは、三相交流電源の相ごと、かつ、第１電力供給源および第２電力供給源のそれぞれについて設けられてよい。複数の整流回路のそれぞれは、交流入力端子および正側出力端子の間に接続され、交流入力端子側から正側出力端子側へと向かう順方向の導通状態を制御可能であり、逆方向の電流を遮断する正側整流器を有してよい。複数の整流回路のそれぞれは、交流入力端子および負側出力端子の間に接続され、負側出力端子側から交流入力端子側へと向かう順方向の導通状態を制御可能であり、逆方向の電流を遮断する負側整流器を有してよい。
【００１６】
複数の整流回路のそれぞれの正側整流器および負側整流器は、サイリスタであってよい。
【００１７】
本発明の第３の態様においては、方法が提供される。方法は、三相交流電圧の瞬時電圧をそれぞれ測定する電圧測定段階を備えてよい。方法は、三相交流電圧の瞬時電圧のｎ乗和（但しｎは正の偶数）に応じた比較対象値を基準値と比較した結果に基づいて、三相交流電圧の電力供給源の状態を判定する判定段階を備えてよい。
【００１８】
本発明の第４の態様においては、プログラムが提供される。プログラムは、コンピュータに三相交流電圧の瞬時電圧をそれぞれ測定する電圧測定段階を実行させてよい。プログラムは、コンピュータに、三相交流電圧の瞬時電圧のｎ乗和（但しｎは正の偶数）に応じた比較対象値を基準値と比較した結果に基づいて、三相交流電圧の電力供給源の状態を判定する判定段階を実行させてよい。
【００１９】
なお、上記の発明の概要は、本発明の必要な特徴の全てを列挙したものではない。また、これらの特徴群のサブコンビネーションもまた、発明となりうる。
【図面の簡単な説明】
【００２０】
【図１】本実施形態に係る電源装置１を示す。
【図２】本実施形態に係る駆動制御部５１を示す。
【図３】電源２（１）が正常であるときの電源装置１の動作を示す。
【図４】電源２（１）が異常であるときの電源装置１の動作を示す。
【図５】電源２（１）が異常であるときの電源装置１の他の動作を示す。
【図６】本実施形態に係る電源２の切替処理を示す。
【図７】電源２の切り替えを行わない場合の比較対象値Σ（１）を示す。
【図８】電源２の切り替えを行う場合の比較対象値Σ（１）を示す。
【図９】電源２の切り替えを行う場合の比較対象値Σ（１）を示す。
【図１０】本発明の複数の態様が全体的または部分的に具現化されてよいコンピュータ２２００の例を示す。
【発明を実施するための形態】
【００２１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００２２】
［１．電源装置１の構成］
図１は、本実施形態に係る電源装置１を示す。なお、図中の白抜きの矢印記号は電圧の正方向を示す。
【００２３】
電源装置１は、２つの電源２の何れかから供給される交流電力を直流電力に変換して正側出力端子１０１および負側出力端子１０２から出力する。電源装置１は、使用する電源２を切り替えることで直流電力の供給を維持する直流無停電電源装置であってよい。電源装置１は、２つの電源２と、複数の整流回路３と、正側キャパシタＣｄ１および負側キャパシタＣｄ２と、複数のスイッチング回路４と、複数の正側リアクトルＬ１および複数の負側リアクトルＬ２と、制御装置５とを備える。
【００２４】
［１．１．電源２］
２つの電源２は、第１電力供給源および第２電力供給源の一例であり、それぞれ三相交流電圧（本実施形態では一例としてＵ相、Ｖ相およびＷ相の電圧）を供給可能となっている。２つの電源２は三相４線式でもよいし、三相３線式でもよい。本実施形態では一例として２つの電源２は、三相４線式であり、Ｎ（１）相に対するＵ（１）相、Ｖ（１）相およびＷ（１）相の３相交流電圧を供給する電源２（１）と、Ｎ（２）相に対するＵ（２）相、Ｖ（２）相およびＷ（２）相の３相交流電圧を供給する電源２（２）とを含んで構成されている。なお、Ｎ（１）相およびＮ（２）相は中性相であり、接地されてよい。
【００２５】
電源２（１）、２（２）は同種の電源でもよいし、異種の電源でもよい。ここで、同種の電源とは、一例として電圧、電流、周波数および位相の何れも同じ電源であってよく、異種の電源とは、これらの少なくとも１つが異なる電源であってよい。電源２（１）、２（２）は、別々の電力系統の商用電源、または別々の無停電電源装置であってよい。本実施形態では一例として、電源２（１）は商用電源であり、電源２（２）は自家発電による非常用電源であってよい。
【００２６】
［１．２．整流回路３］
複数の整流回路３は、電源２から交流電力が供給される交流入力端子３１を有し、交流入力端子３１と、正側出力端子１０１および負側出力端子１０２との間に流れる電流をそれぞれ整流する。例えば、複数の整流回路３のそれぞれは、三相交流電源の相ごと（本実施形態では一例としてＵ相、Ｖ相およびＷ相の相ごと）、かつ、電源２（１）、２（２）のそれぞれについて設けられている。本実施形態では一例として、複数の整流回路３は、電源２（１）からのＵ（１）相の電流を整流する整流回路３Ｕ（１）、電源２（２）からのＵ（２）相の電流を整流する整流回路３Ｕ（２）、電源２（１）からのＶ（１）相の電流を整流する整流回路３Ｖ（１）、電源２（２）からのＶ（２）相の電流を整流する整流回路３Ｖ（２）、電源２（１）からのＷ（１）相の電流を整流する整流回路３Ｗ（１）、および、電源２（２）からのＷ（２）相の電流を整流する整流回路３Ｗ（２）を有している。各整流回路３は、交流入力端子３１に加えて、正側整流器Ｔｈ１（正側整流器Ｔｈ１（１），Ｔｈ１（２）とも称する）および負側整流器Ｔｈ２（負側整流器Ｔｈ２（１），Ｔｈ２（２）とも称する）を有している。なお、図中の整流回路３Ｕ（１），３Ｕ（２），３Ｖ（１），３Ｖ（２）では、図示の簡略化のため一部の符号の表記を省略している。
【００２７】
正側整流器Ｔｈ１は、交流入力端子３１および正側出力端子１０１の間に接続される。正側整流器Ｔｈ１は、交流入力端子３１側から正側出力端子１０１側へと向かう順方向の導通状態を制御可能であり、逆方向の電流を遮断する。正側整流器Ｔｈ１には、正側整流器Ｔｈ１の順方向の導通状態を制御するための正側制御端子Ｔｈ１１が設けられている。本実施形態では一例として正側整流器Ｔｈ１はサイリスタであり、正側制御端子Ｔｈ１１はゲートである。この場合、正側整流器Ｔｈ１に順バイアスが加えられて正側制御端子Ｔｈ１１がオンにされると正側整流器Ｔｈ１が点弧して順方向に導通状態となり、正側制御端子Ｔｈ１１がオフにされる（ゲートオフされる）と、交流電力の電流がゼロになるタイミングで正側整流器Ｔｈ１が消弧して順方向に遮断状態となる。正側整流器Ｔｈ１の動作周波数は交流電源の周波数であり、例えば５０または６０Ｈｚである。
【００２８】
負側整流器Ｔｈ２は、交流入力端子３１および負側出力端子１０２の間に接続される。負側整流器Ｔｈ２は、負側出力端子１０２側から交流入力端子３１側へと向かう順方向の導通状態を制御可能であり、逆方向の電流を遮断する。負側整流器Ｔｈ２には、負側整流器Ｔｈ２の順方向の導通状態を制御するための負側制御端子Ｔｈ２１が設けられている。本実施形態では一例として負側整流器Ｔｈ２はサイリスタであり、負側制御端子Ｔｈ２１はゲートである。この場合、負側整流器Ｔｈ２に順バイアスが加えられて負側制御端子Ｔｈ２１がオンにされると負側整流器Ｔｈ２が点弧して順方向に導通状態となり、負側制御端子Ｔｈ２１がオフにされる（ゲートオフされる）と、交流電力の電流がゼロになるタイミングで負側整流器Ｔｈ２が消弧して順方向に遮断状態となる。負側整流器Ｔｈ２の動作周波数も交流電源の周波数であり、例えば５０または６０Ｈｚである。
【００２９】
［１．３．正側キャパシタＣｄ１および負側キャパシタＣｄ２］
正側キャパシタＣｄ１および負側キャパシタＣｄ２は、正側出力端子１０１および負側出力端子１０２の間に直列に順次接続されている。正側キャパシタＣｄ１および負側キャパシタＣｄ２はそれぞれ、正側出力端子１０１および負側出力端子１０２の間の出力電圧Ｅの半分の電圧を保持する。正側キャパシタＣｄ１および負側キャパシタＣｄ２の中点は各電源２の中性相Ｎ（１），Ｎ（２）の端子と接続されてよい。
【００３０】
［１．４．スイッチング回路４］
複数のスイッチング回路４は、電源２からの交流電流の経路を切り替える。例えば、複数のスイッチング回路４のぞれぞれは、三相交流電圧の相ごと（本実施形態では一例としてＵ相、Ｖ相およびＷ相の相ごと）に設けられている。本実施形態では一例として、複数のスイッチング回路４は、Ｕ（１）相およびＵ（２）相の電流の経路を切り替えるスイッチング回路４Ｕ、Ｖ（１）相およびＶ（２）相の電流の経路を切り替えるスイッチング回路４Ｖ、および、Ｗ（１）相およびＷ（２）相の電流の経路を切り替えるスイッチング回路４Ｗを有している。各スイッチング回路４は、正側半導体スイッチＱ１および負側半導体スイッチＱ２と、正側ダイオードＤ１および負側ダイオードＤ２とを有している。
【００３１】
正側半導体スイッチＱ１および負側半導体スイッチＱ２は、正側出力端子１０１および負側出力端子１０２の間に正側キャパシタＣｄ１および負側キャパシタＣｄ２と並列に順次接続されている。正側半導体スイッチＱ１および負側半導体スイッチＱ２の中点は、正側キャパシタＣｄ１および負側キャパシタＣｄ２の中点と接続されている。正側半導体スイッチＱ１および負側半導体スイッチＱ２は、ＩＧＢＴ、ＭＯＳＦＥＴ、または、バイポーラトランジスタ等であってよい。正側半導体スイッチＱ１および負側半導体スイッチＱ２の動作周波数は、例えば１０ｋＨｚ等の高周波数である。正側半導体スイッチＱ１および負側半導体スイッチＱ２は、ワイドバンドギャップ半導体を含んで形成されてよい。ここで、ワイドバンドギャップ半導体とは、シリコン半導体よりもバンドギャップが大きい半導体であり、例えばＳｉＣ、ＧａＮ、ダイヤモンド、ＡｌＮ、ＡｌＧａＮ、または、ＺｎＯなどの半導体である。
【００３２】
正側ダイオードＤ１および負側ダイオードＤ２は、正側半導体スイッチＱ１および負側半導体スイッチＱ２と正側出力端子１０１および負側出力端子１０２との間に接続されている。本実施形態では一例として、正側ダイオードＤ１は正側半導体スイッチＱ１の正側端子にアノードが接続されてよい。また、負側ダイオードＤ２は負側半導体スイッチＱ２の負側端子にカソードが接続されてよい。正側ダイオードＤ１および負側ダイオードＤ２は、ワイドバンドギャップ半導体を含んで形成されてよい。
【００３３】
［１．５．正側リアクトルＬ１および負側リアクトルＬ２］
複数の正側リアクトルＬ１は、三相交流電圧の相ごとの２つの整流回路３（１），３（２）と、正側出力端子１０１との間に接続される。本実施形態では一例として複数の正側リアクトルＬ１は、Ｕ相の整流回路３Ｕ（１），３Ｕ（２）および正側出力端子１０１の間に接続された正側リアクトルＬ１Ｕと、Ｖ相の整流回路３Ｖ（１），３Ｖ（２）および正側出力端子１０１の間に接続された正側リアクトルＬ１Ｖと、Ｗ相の整流回路３Ｗ（１），３Ｗ（２）および正側出力端子１０１の間に接続された正側リアクトルＬ１Ｗとを有する。
【００３４】
正側リアクトルＬ１は、２つの整流回路３（１），３（２）における各正側整流器Ｔｈ１（本実施形態ではサイリスタ）のカソードと、正側半導体スイッチＱ１および正側ダイオードＤ１の間とに接続されてよい。正側リアクトルＬ１は、整流回路３による整流によって生成された直流電流を平滑化する。これに代えて／加えて、正側リアクトルＬ１は、生成された直流電力を昇圧する。
【００３５】
負側リアクトルＬ２は、三相交流電圧の相ごと（本実施形態では一例としてＵ相、Ｖ相、Ｗ相ごと）の２つの整流回路３（１），３（２）と負側出力端子１０２との間に接続される。本実施形態では一例として複数の負側リアクトルＬ２は、Ｕ相の整流回路３Ｕ（１），３Ｕ（２）および負側出力端子１０２の間に接続された負側リアクトルＬ２Ｕと、Ｖ相の整流回路３Ｖ（１），３Ｖ（２）および負側出力端子１０２の間に接続された負側リアクトルＬ２Ｖと、Ｗ相の整流回路３Ｗ（１），３Ｗ（２）および負側出力端子１０２の間に接続された負側リアクトルＬ２Ｗとを有する。
【００３６】
負側リアクトルＬ２は、２つの整流回路３（１），３（２）における各負側整流器Ｔｈ２（本実施形態ではサイリスタ）のアノードと、負側半導体スイッチＱ２および負側ダイオードＤ２の間とに接続されてよい。負側リアクトルＬ２は、整流回路３による整流によって生成された直流電流を平滑化する。これに代えて／加えて、負側リアクトルＬ２は、生成された直流電力を昇圧する。
【００３７】
［１．６．制御装置５］
制御装置５は、電源装置１の各部を制御する。制御装置１は、装置の一例であってよく、電圧測定部５０と、駆動制御部５１と、判定部５３と、切替部５４とを有する。
【００３８】
［１．６．１．電圧測定部５０］
電圧測定部５０は、三相交流電圧の瞬時電圧をそれぞれ測定する。本実施形態では一例として、電圧測定部５０は、Ｕ（１）相、Ｖ（１）相、Ｗ（１）相、Ｕ（２）相、Ｖ（２）相、および、Ｗ（２）相の瞬時電圧ＶｉｎＵ（１）、ＶｉｎＶ（１）、ＶｉｎＷ（１）、ＶｉｎＵ（２）、ＶｉｎＶ（２）、および、ＶｉｎＷ（２）をそれぞれ測定してよい。電圧測定部５０は、電圧センサを用いて電圧を測定してよい。電圧測定部５０は、電源装置１の任意の位置で各相の電圧を測定してよく、本実施形態では一例として、電源２と、対応する整流回路３との間で電圧を測定している。但し、電圧測定部５０は、整流回路３と正側出力端子１０１または負側出力端子１０２との間で電圧を測定してもよい。この場合には、電圧測定部５０は、測定する電圧が電源２（１），２（２）の何れに起因するかを合わせて検知してよい。電圧測定部５０は、測定結果を駆動制御部５１および判定部５３に供給する。
【００３９】
［１．６．２．駆動制御部５１］
駆動制御部５１は、正側半導体スイッチＱ１および負側半導体スイッチＱ２を制御する。なお、正側半導体スイッチＱ１および負側半導体スイッチＱ２の制御については詳細を後述する。
【００４０】
［１．６．３．判定部５３］
判定部５３は、三相交流電圧の瞬時電圧のｎ乗和に応じた比較対象値Σを基準値Ｋと比較した結果に基づいて、電源２の状態を判定する。判定部５３は、三相交流電圧の整数分の１の周期（本実施形態では一例として半周期）で比較対象値Σを算出して判定を行ってよい。ここで、ｎは２，４などの正の偶数であり、本実施形態では一例として２である。判定部５３は、算出部５３０、第１判定部５３１および第２判定部５３２を有する。
【００４１】
［１．６．３（１）算出部５３０］
算出部５３０は、比較対象値Σを算出する。算出部５３０は、電源２（１）の比較対象値Σ（１）と、電源２（２）の比較対象値Σ（２）とをそれぞれ算出してよい。算出部５３０は、算出した比較対象値Σを第１判定部５３１および第２判定部５３２にそれぞれ供給する。
【００４２】
本実施形態では一例として比較対象値Σ（１）は、三相交流電圧の瞬時電圧の２乗和、つまりＵ（１）相の瞬時電圧ＶｉｎＵ（１）の二乗と、Ｖ（１）相の瞬時電圧ＶｉｎＶ（１）の二乗と、Ｗ（１）相の瞬時電圧ＶｉｎＷ（１）の二乗との和であるが、当該和に加算処理や減算処理を行った値でもよい。同様に、比較対象値Σ（２）は、Ｕ（２）相の瞬時電圧ＶｉｎＵ（２）の二乗と、Ｖ（２）相の瞬時電圧ＶｉｎＶ（２）の二乗と、Ｗ（２）相の瞬時電圧ＶｉｎＷ（２）の二乗との和であるが、当該和に加算処理や減算処理を行った値でもよい。
【００４３】
ここで、Ｕ相、Ｖ相、Ｗ相の瞬時電圧はそれぞれ以下の式（１）〜（３）で表される。また、比較対象値Σは以下の式（４）で表される。式中、Ａは電圧の振幅である。
【００４４】
ＶｉｎＵ＝Ａ・ｓｉｎ（ωｔ）                （１）
ＶｉｎＶ＝Ａ・ｓｉｎ（ωｔ−２／３π）      （２）
ＶｉｎＷ＝Ａ・ｓｉｎ（ωｔ−４／３π）      （３）
Σ＝ＶｉｎＵ２＋ＶｉｎＶ２＋ＶｉｎＷ２＝３／２・Ａ２    （４）
【００４５】
式（４）で示されるように、比較対象値Σは電源２が正常（健全とも称する）である場合には一定値であってよい。また、比較対象値Σは、電源２が瞬時停止状態などの停電状態である場合には０となってよく、電源２の電圧が瞬時低下状態である場合には電源２の周波数の２倍の周波数で周期的に変動してよい。
【００４６】
［１．６．３（２）第１判定部５３１］
第１判定部５３１は、電源２の比較対象値Σが第１基準時間にわたって第１基準値Ｋ１を断続的に下回ったことに応じて当該電源２を異常状態（例えば瞬時低下状態）と判定する。第１判定部５３１は、判定結果を切替部５４に供給する。
【００４７】
ここで、第１基準値Ｋ１は、電源２が正常な場合での比較対象値Σの値と、電源２が瞬時低下状態の場合での比較対象値Σの極小値との間の値であってよく、一例として電源２が正常な場合での比較対象値Σの８割に相当する値であってよい。なお、本実施形態では一例として電源２（１）の判定に用いる第１基準値Ｋ１と、電源２（２）の判定に用いる第１基準値Ｋ１とは同じ値であるが、異なる値であってもよい。
【００４８】
比較対象値Σが第１基準値Ｋ１を断続的に下回るとは、比較対象値Σが第１基準値Ｋ１を下回る状態が途切れたり続いたりすることであってよく、比較対象値Σが第１基準値Ｋ１をまたいで複数回変動することであってよい。比較対象値Σが第１基準値Ｋ１を断続的に下回る場合には、瞬時電圧の低下分だけ電源装置１内の瞬時電流が増える結果、電源装置１内の素子（本実施形態では一例として正側整流器Ｔｈ１、負側整流器Ｔｈ２、正側半導体スイッチＱ１、負側半導体スイッチＱ２、正側ダイオードＤ１および負側ダイオードＤ２など）が高温になったり、破壊されたりする虞がある。
【００４９】
第１基準時間は、比較対象値Σが第１基準値Ｋ１を断続的に下回る状態が開始してから、電源装置１内の素子が高温になるか、或いは、破壊されるまでの時間より短い時間であってよく、本実施形態では一例として１０秒となっている。第１基準時間は電源装置１の熱容量や冷却能力に応じて設定されてよい。なお、本実施形態では一例として電源２（１）の判定に用いる第１基準時間と、電源２（２）の判定に用いる第１基準時間とは同じ時間幅であるが、異なる時間幅であってもよい。
【００５０】
［１．６．３（３）第２判定部５３２］
第２判定部５３２は、電源２の比較対象値Σが第１基準値Ｋ１よりも小さい第２基準値Ｋ２を下回ったことに応じて当該電源２を異常状態（例えば停電状態）と判定する。第２判定部５３２は、判定結果を切替部５４に供給する。
【００５１】
ここで、第２基準値Ｋ２は、電源２が正常な場合での比較対象値Σの値と、電源２が停電状態の場合での比較対象値Σとの間の値であってよく、一例として電源２が正常な場合での比較対象値Σの７割に相当する値であってよい。第２基準値Ｋは、入力電圧の低下により電源装置１が定格の出力を行えない場合、または、電源装置１の各素子の過電流保護が行えない場合での比較対象値Σに相当する値であってよい。なお、本実施形態では一例として電源２（１）の判定に用いる第２基準値Ｋ２と、電源２（２）の判定に用いる第２基準値Ｋ２とは同じ値であるが、異なる値であってもよい。
【００５２】
［１．６．４．切替部５４］
切替部５４は、判定部５３による判定結果に基づいて、電源２（１），２（２）の間で使用対象を切り替える。切替部５４は、整流回路３のそれぞれの正側制御端子Ｔｈ１１および負側制御端子Ｔｈ２１を制御することで、使用対象の電源２を切り替えてよい。例えば、切替部５４は、使用する電源２からの交流電力が入力される整流回路３の正側整流器Ｔｈ１および負側整流器Ｔｈ２を順方向に導通させるように駆動制御を行い、使用しない電源２からの交流電力が入力される整流回路３の正側整流器Ｔｈ１および負側整流器Ｔｈ２を順方向に遮断する。切替部５４は、導通させる整流回路３と、遮断する整流回路３とを切り替えることで使用対象の電源２を切り替えてよい。
【００５３】
切替部５４は、電源２（１）が優先的に使用されるように切り替えを行ってよい。例えば、切替部５４は、判定部５３により電源２（１）が正常状態であると判定される場合には電源２（１）を使用対象とし、判定部５３により電源２（１）が異常状態であると判定される場合には、電源２（２）を使用対象とする。なお、使用対象とされる電源２（２）は正常状態であってよい。
【００５４】
以上の電源装置１によれば、三相交流電圧の瞬時電圧のｎ乗和に応じた比較対象値Σを基準値Ｋと比較した結果に基づいて電源２の状態を判定するので、二乗和のリップルを検出する場合と比較して、構成を簡略化することができる。また、基準周期分の電圧を用いて判定を行う場合と異なり、電源２の状態判定を瞬時に行うことができる。従って、電源２の異常状態を瞬時に検出することができるため、素子の破壊を防止することができる。
【００５５】
また、比較対象値Σが第１基準時間にわたって第１基準値を断続的に下回ったことに応じて電源２を異常状態と判定し、比較対象値Σが第２基準値を下回ったことに応じて電源２を異常状態と判定するので、電源２の電圧の瞬時低下および停電のそれぞれを瞬時に検出することができる。
【００５６】
また、三相交流電圧の整数分の１の周期で判定が行われるので、異常状態を早期に検出することができる。
【００５７】
また、判定結果に基づいて電源２（１），２（２）の間で使用対象が切り替えられるので、異常な電源２の使用を防止することができる。
【００５８】
また、電源２（１）が正常状態であると判定される場合には電源２（１）が使用対象とされ、電源２（１）が異常状態であると判定される場合には電源２（２）が使用対象とされるので、電源２（１）を優先的に使用し、電源２（２）の使用を抑えることができる。
【００５９】
また、各整流回路３には、交流入力端子３１および正側出力端子１０１の間に接続された正側整流器Ｔｈ１と、交流入力端子３１および負側出力端子１０２の間に接続された負側整流器Ｔｈ２とがそれぞれ具備される。そして、正側整流器Ｔｈ１は交流入力端子３１側から正側出力端子１０１側へと向かう順方向の導通状態を制御可能であって逆方向の電流を遮断し、負側整流器Ｔｈ２は負側出力端子１０２側から交流入力端子３１側へと向かう順方向の導通状態を制御可能であって逆方向の電流を遮断する。従って、各整流回路３の正側整流器Ｔｈ１および負側整流器Ｔｈ２により、瞬断を発生させることなく使用する交流電源を適切に切り替えて供給することができる。
【００６０】
また、正側リアクトルＬ１は各相の２つの整流回路３（１）、３（２）と正側出力端子１０１との間に接続され、負側リアクトルＬ２は各相の２つの整流回路３（１）、３（２）と負側出力端子１０２との間に接続される。従って、正側リアクトルＬ１を交流電源の極性が負電圧側の半周期の間に休止状態とし、負側リアクトルＬ２を交流電源の極性が正電圧側の半周期の間に休止状態とすることができる。よって、リアクトルが整流回路３と交流電源の間に接続される場合と比較して、リアクトル内の電流の実効値が定格電流の１／√２となって発熱が低減される分、正側リアクトルＬ１および負側リアクトルＬ２を小さくすることができる。また、電源２ごとにリアクトルを設ける必要がなくなるため、電源２の個数に関わらずリアクトルの個数を２つにすることができる。
【００６１】
［２．駆動制御部５１］
図２は、本実施形態に係る駆動制御部５１を示す。駆動制御部５１は、正側半導体スイッチＱ１および負側半導体スイッチＱ２を制御することで、正側キャパシタＣｄ１および負側キャパシタＣｄ２の両端電圧と、正側リアクトルＬ１または負側リアクトルＬ２に流れる電流との少なくとも一方を制御する。駆動制御部５１は、電圧取得部５１０，５１１、スイッチ５１２、極性判別部５１３、電流測定部５１４，５１５、スイッチ５１６、電圧測定部５２１、電圧制御部５２２、乗算器５２５、減算器５２７および電流制御部５２９を有する。なお、駆動制御部５１は、電圧取得部５１０，５１１、スイッチ５１２、極性判別部５１３、電流測定部５１４，５１５、スイッチ５１６、乗算器５２５、減算器５２７および電流制御部５２９を、Ｕ相、Ｖ相およびＷ相の相ごとに有するが、本図では簡略化のため、Ｕ相に対応する電圧取得部５１０Ｕ，５１１Ｕ、スイッチ５１２Ｕ、極性判別部５１３Ｕ、電流測定部５１４Ｕ，５１５Ｕ、スイッチ５１６Ｕ、乗算器５２５Ｕ、減算器５２７Ｕおよび電流制御部５２９Ｕのみを図示している。
【００６２】
電圧取得部５１０は、電圧測定部５０から電源２（１）の各相のうち、対応する相の相電圧Ｖｉｎ（１）を取得する。例えば、Ｕ相に対応する電圧取得部５１０Ｕは、Ｕ相の相電圧ＶｉｎＵ（１）を取得する。電圧取得部５１０は、取得した相電圧の値をスイッチ５１２に供給する。
【００６３】
電圧取得部５１１は、電圧測定部５０から電源２（２）の各相のうち、対応する相の相電圧Ｖｉｎ（２）を取得する。例えば、Ｕ相に対応する電圧取得部５１１Ｕは、Ｕ相の相電圧ＶｉｎＵ（２）を取得する。電圧取得部５１１は、取得した相電圧の値をスイッチ５１２に供給する。
【００６４】
スイッチ５１２は、電源２（１），２（２）からの交流電力のうち、使用される交流電力を選択する。本実施形態では一例として、スイッチ５１２は、健全時には電源２（１）の交流電力を選択し、異常発生時には電源２（２）の交流電力を選択する。スイッチ５１２は、選択した交流電力の相電圧の測定値を極性判別部５１３および乗算器５２５に供給する。
【００６５】
極性判別部５１３は、スイッチ５１２により選択された交流電力の極性（相電圧の正負）を判別する。極性判別部５１３は、判別結果をスイッチ５１６に供給する。
【００６６】
電流測定部５１４は、相ごとの正側リアクトルＬ１のうち、対応する相の正側リアクトルＬ１に流れる電流ＩＬ１を測定する。例えば、Ｕ相に対応する電流測定部５１４Ｕは、正側リアクトルＬ１Ｕに流れる電流ＩＬ１Ｕを測定する。電流測定部５１４は、電流センサを用いて電流ＩＬ１を測定してよい。電流測定部５１４は、電流ＩＬ１の測定値をスイッチ５１６に供給する。
【００６７】
電流測定部５１５は、相ごとの正側リアクトルＬ１のうち、対応する相の負側リアクトルＬ２に流れる電流ＩＬ２を測定する。例えば、Ｕ相に対応する電流測定部５１５Ｕは、正側リアクトルＬ２Ｕに流れる電流ＩＬ２Ｕを測定する。電流測定部５１５は、電流センサを用いて電流ＩＬ２を測定してよい。電流測定部５１５は、電流ＩＬ２の測定値をスイッチ５１６に供給する。
【００６８】
スイッチ５１６は、極性判別部５１３による判別結果に応じて電流の測定値ＩＬ１，ＩＬ２の何れかを選択する。例えば、スイッチ５１６は、使用される交流電力の相電圧が正の場合、つまり正側リアクトルＬ１に電流が流れる場合には測定値ＩＬ１を選択する。スイッチ５１６は、使用される交流電力の相電圧が負の場合、つまり負側リアクトルＬ２に電流が流れる場合には測定値ＩＬ２を選択する。
【００６９】
電圧測定部５２１は、正側出力端子１０１および負側出力端子１０２の間の電圧を測定する。電圧測定部５２１は、電圧センサを用いて電圧を測定してよい。電圧測定部５２１は測定結果を電圧制御部５２２に供給する。
【００７０】
電圧制御部５２２は、電圧の測定値からリアクトルＬ１またはＬ２の電流ＩＬ１またはＩＬ２の振幅指令値を算出する。振幅指令値は各相で等しくてよい。電圧制御部５２２は、振幅指令値を乗算器５２５に供給する。
【００７１】
乗算器５２５は、電圧制御部５２２からの振幅指令値と、対応する相のスイッチ５１２からの入力電圧Ｖｉｎ（１）またはＶｉｎ（２）の瞬時値とを乗算することにより、入力電圧と相似波形の瞬時電流指令値を算出する。例えば、Ｕ相に対応する乗算器５２５Ｕは、振幅指令値にＵ相電圧の測定瞬時値ＶｉｎＵ（１）またはＶｉｎＵ（２）を乗算してＵ相の瞬時電流指令値を算出する。乗算器５２５は、瞬時電流指令値を減算器５２７に供給する。
【００７２】
減算器５２７は、対応する相の正側リアクトルＬ１または負側リアクトルＬ２の電流測定値ＩＬ１，ＩＬ２を瞬時電流指令値から減算して誤差電流を算出する。例えば、Ｕ相に対応する減算器５２７Ｕは、Ｕ相の瞬時電流指令値から電流測定値ＩＬ１Ｕ，ＩＬ２Ｕを減算して誤差電流を算出する。減算器５２７は、誤差電流を電流制御部５２９に供給する。
【００７３】
電流制御部５２９は、対応する相の誤差電流がゼロになるように、つまり、電流ＩＬ１またはＩＬ２の測定値が瞬時電流指令値と一致するように、対応する相のスイッチング回路４における正側半導体スイッチＱ１または負側半導体スイッチＱ２のオン・オフを制御する。例えば、Ｕ相に対応する電流制御部５２９Ｕは、Ｕ相の誤差電流がゼロになるようにスイッチング回路４Ｕの正側半導体スイッチＱ１または負側半導体スイッチＱ２のオン・オフを制御する。オン時には電流が増加、オフ時には減少するので、その比率を制御することで正側キャパシタＣｄ１および負側キャパシタＣｄ２の両端電圧、および／または、正側リアクトルＬ１，負側リアクトルＬ２に流れる電流ＩＬ１，ＩＬ２が制御される。
【００７４】
［３．正常時の動作］
図３は、電源２（１）が正常であるときの電源装置１の動作を示す。なお、三相交流電圧の各相についての動作は同様であるので、本図や後述の図４、図５などでは、Ｕ相についての動作のみを示している。また、図３では、制御装置５の図示を省略している。また、図中、左側の回路図において白抜きの矢印記号は電圧または電流を示す。また、図中の右側のグラフは、白抜きの矢印記号で示される電圧若しくは電流の変化、または、各素子の動作波形を示す。
【００７５】
本実施形態では一例として、電源２（１）が正常である場合には電源２（２）は使用されないため、切替部５４は、電源２（２）からの交流電力を入力するための整流回路３Ｕ（２）を遮断する。例えば、切替部５４は、使用しない電源２（２）からの交流電力を入力するための整流回路３Ｕ（２）の正側整流器Ｔｈ１（２）および負側整流器Ｔｈ２（２）を順方向に遮断させるべく整流回路３Ｕ（２）の正側制御端子Ｔｈ１１および負側制御端子Ｔｈ２１を制御する。一例として、切替部５４は、正側整流器Ｔｈ１（２）および負側整流器Ｔｈ２（２）をゲートオフしてよい。
【００７６】
また、切替部５４は、電源２（１）から電力が供給される整流回路３Ｕ（１）を導通させて整流を行わせる。電源２（１）から供給される電圧は、図中のＶｉｎ（１）グラフで示される。
【００７７】
例えば、切替部５４は、使用する電源２（１）から電力が供給される整流回路３Ｕ（１）の正側整流器Ｔｈ１および負側整流器Ｔｈ２をそれぞれ順方向に導通させるべく、その正側制御端子Ｔｈ１１および負側制御端子Ｔｈ２１を制御する。これにより、図中、Ｖｉｎ（１）およびＩｉｎ（１）のグラフで示される電圧、電流が電源２（１）から供給される。
【００７８】
一例として、図中左側の太い実線および太い破線の矢印記号、並びに、図中右側のＶｉｎ（１）、Ｔｈ１（１）のグラフに示すように、切替部５４は、整流回路３Ｕ（１）について、使用する電源２（１）のＵ相電力が正電圧となる期間の少なくとも一部において正側整流器Ｔｈ１（１）を順方向に導通させるべく正側制御端子Ｔｈ１１を制御する。切替部５４は、使用する電源２（１）のＵ相電圧が正電圧となる期間の少なくとも一部において正側整流器Ｔｈ１を順方向に遮断させるべく正側制御端子Ｔｈ１１を制御してよい。例えば正電圧をとる期間の始めの期間のみゲートをオンするだけで、Ｕ相電圧の極性が負に移行するゼロクロスでＩｉｎ（１）がゼロになり、その時点でＴｈ１１は完全にオフになる。本実施形態では一例として、切替部５４は、Ｕ相電圧が正電圧をとる全期間にわたって正側制御端子Ｔｈ１１をオンにし、Ｕ相電圧が負電圧をとる全期間にわたって正側制御端子Ｔｈ１１をオフにしている。切替部５４は、Ｕ相電圧の正負に関わらず正側制御端子Ｔｈ１１をオンに維持してもよいが、消費電力が大きくなる。
【００７９】
また、図中左側の細い実線および破線の矢印記号、並びに、図中右側のＶｉｎ（１）、Ｔｈ２（１）のグラフに示すように、切替部５４は、整流回路３Ｕ（１）について、使用する電源２（１）のＵ相電力が負電圧となる期間の少なくとも一部において負側整流器Ｔｈ２（１）を順方向に導通させるべく負側制御端子Ｔｈ２１を制御する。切替部５４は、使用する電源２（１）のＵ相電力が正電圧となる期間の少なくとも一部において負側整流器Ｔｈ２（１）を順方向に遮断させるべく負側制御端子Ｔｈ２１を制御してよい。例えば負電圧をとる期間の始めの期間のみゲートをオンするだけで、Ｕ相電圧の極性が正に移行するゼロクロスでＩｉｎ（１）がゼロになり、その時点でＴｈ２１は完全にオフになる。本実施形態では一例として、切替部５４は、Ｕ相電圧が負電圧をとる全期間にわたって負側制御端子Ｔｈ２１をオンにし、Ｕ相電圧が正電圧をとる全期間にわたって負側制御端子Ｔｈ２１をオフにしている。切替部５４は、Ｕ相電圧の正負に関わらず負側制御端子Ｔｈ２１をオンに維持してもよいが消費電力が大きくなる。
【００８０】
また、駆動制御部５１は、スイッチング回路４Ｕの正側半導体スイッチＱ１および負側半導体スイッチＱ２を制御する。
【００８１】
例えば、図中右側のＱ１，Ｑ２のグラフに示すように、駆動制御部５１は、使用する電源２（１）のＵ相電圧が正電圧となる期間の全部で負側半導体スイッチＱ２をオフにして、正側半導体スイッチＱ１をオンオフさせる。正側半導体スイッチＱ１がオンされると、図中左側の太い実線の矢印記号に示されるように、電源２（１）からの電流は正側整流器Ｔｈ１（１）、正側リアクトルＬ１、正側半導体スイッチＱ１、正側キャパシタＣｄ１と負側キャパシタＣｄ２の中点を順に経由して電源２（１）に流れる。また、正側リアクトルＬ１Ｕに電源２（１）の電圧が印加されて正側リアクトルＬ１Ｕの電流が増加する。正側半導体スイッチＱ１がオフされると、図中左側の太い破線の矢印記号、および、図中右側のＶｕｉのグラフに示されるように、電源２（１）からの電流は正側整流器Ｔｈ１（１）、正側リアクトルＬ１、正側ダイオードＤ１、正側キャパシタＣｄ１、正側キャパシタＣｄ１と負側キャパシタＣｄ２の中点を順に経由して電源２（１）に流れ、正側キャパシタＣｄ１に正側リアクトルＬ１Ｕのエネルギーが伝達される。また、図中右側のＩＬ１のグラフに示されるように、正側キャパシタＣｄ１の電圧と電源２（１）のＵ相電圧との差電圧（ここでは正側半導体スイッチＱ１がオンのときとは逆向きの電圧）が正側リアクトルＬ１Ｕに印加されて、その電流が減少する。駆動制御部５１は、正側半導体スイッチＱ１のオンオフの時間比率を制御することで電源２（１）からの電流を任意の瞬時値に制御するとともに、正側キャパシタＣｄ１の両端電圧を電源２（１）の電圧ピーク値よりも高い任意の値に設定しうる。
【００８２】
同様に、駆動制御部５１は、使用する電源２（１）のＵ相電圧が負電圧となる期間の全部で正側半導体スイッチＱ１をオフにして、負側半導体スイッチＱ２をオンオフさせる。これにより、負側キャパシタＣｄ２の両端電圧が電源２（１）の電圧ピーク値よりも高い任意の値、一例として正側キャパシタＣｄ１と同じ電圧に設定される。
【００８３】
以上により、電源２（１）からのＵ相電力が直流電力に変換されて正側キャパシタＣｄ１および負側キャパシタＣｄ２に保持され、正側出力端子１０１および負側出力端子１０２から出力される。
【００８４】
［４．異常時の動作（１）］
図４は、電源２（１）が異常であるときの電源装置１の動作を示す。なお、本動作例では一例として、電源２（１）および電源２（２）は、電圧、電流、周波数および位相のそれぞれが同じ同種の電源となっている。
【００８５】
切替部５４は、電源２（１）が異常と判定されたことに応じ、電源２（１）から電源２（２）に使用対象を切り替える。切替部５４は、電源２を切り替えるべき切替タイミングＴにおいて電源２を切り替えてよい。
【００８６】
例えば、切替部５４は、整流回路３Ｕ（１）の正側整流器Ｔｈ１（１）および負側整流器Ｔｈ２（１）を順方向に遮断させるべく整流回路３Ｕ（１）の正側制御端子Ｔｈ１１および負側制御端子Ｔｈ２１を制御する。本実施形態では、切替タイミングＴにおいて電源２（１）のＵ相電圧の極性は正であるため、電源２（１）の電圧の異常発生を検知した時点で、正側制御端子Ｔｈ１１のみオフとすればよい。これにより、電源２（１）に停電等が発生した場合に、電源２（１）からの電流がゼロになった時点で電力の供給が自然に遮断される。このため、図中、Ｉｉｎ（１）のグラフで示されるように、電源２（１）からの電流の供給が停止する。
【００８７】
また、切替部５４は、整流回路３Ｕ（２）の正側整流器Ｔｈ１（２）および負側整流器Ｔｈ２（２）を順方向に導通状態とするべく第２整流回路３（２）の正側制御端子Ｔｈ１１および負側制御端子Ｔｈ２１を制御する。切替部５４は、正常時に電源２（１）を使用する場合の整流回路３Ｕ（１）の制御と同様にして、整流回路３Ｕ（２）を制御してよい。これにより、図中左側の破線の矢印記号から、実線の矢印記号に示されるように、使用する交流電力およびその経路が切り替えられる。ここで、本動作例では電源２（１），２（２）の位相が同じであるので、図中、Ｖｉｎ（１），Ｖｉｎ（２），Ｉｉｎ（１），Ｉｉｎ（２）のグラフで示されるように、整流回路３Ｕ（１），３Ｕ（２）に入力される交流電力が同期された状態で、使用する交流電力が切り替えられる。
【００８８】
なお、駆動制御部５１は、正常時と同様にしてスイッチング回路４Ｕの正側半導体スイッチＱ１および負側半導体スイッチＱ２を制御すればよい。
【００８９】
［４．１．切替タイミングＴ］
切替タイミングＴは、判定部５３によって電源２（１）が異常であると判定されたタイミングであってよく、一例として図中にＶｉｎ（１）のグラフで示されるように、電源２（１）に異常（本実施形態では一例として停電）が発生したタイミングであってよい。
【００９０】
切替タイミングＴは、電源２（１），２（２）の位相と非同期でよい。例えば、切替タイミングＴは、電源２（１），２（２）の位相とは無関係に決定されてよい。なお、切替タイミングＴは電源２（１），２（２）の位相と同期してもよい。例えば、切替タイミングＴは、判定部５３によって電源２（１）が異常であると判定された後に電源２（１），２（２）の電圧Ｖｉｎ（１），Ｖｉｎ（２）がゼロクロスするタイミングでもよい。
【００９１】
以上の動作によれば、使用する電源２を切り替える場合に、整流回路３Ｕ（１）の正側整流器Ｔｈ１（１）および負側整流器Ｔｈ２（１）を順方向に遮断させるべく整流回路３Ｕ（１）の正側制御端子Ｔｈ１１および負側制御端子Ｔｈ２１を制御し、整流回路３Ｕ（２）の正側整流器Ｔｈ１（２）および負側整流器Ｔｈ２（２）を順方向に導通状態とするべく整流回路３Ｕ（２）の正側制御端子Ｔｈ１１および負側制御端子Ｔｈ２１を制御する。従って、切り替え前の交流電力の供給を停止させるとともに、切り替え後の交流電力の供給を開始させることができる。
【００９２】
また、電源２（１），２（２）の位相と非同期に使用対象の電源２を切り替えるので、同期タイミングを待たずに切り替えを行うことができる。従って、異常の発生に応じて電力を切り替える場合に、電力供給の瞬断を防止することができる。
【００９３】
［５．異常時の動作（２）］
図５は、電源２（１）が異常であるときの電源装置１の他の動作を示す。なお、本動作例では一例として、電源２（１）および電源２（２）の間で同期がとられておらず、位相差が生じている。図では１８０°のずれを生じた場合を示している。
【００９４】
切替部５４は、電源２（１）が異常と判定されたことに応じ、電源２（１）から電源２（２）に使用対象を切り替える。切替部５４は、電源２を切り替えるべき切替タイミングＴにおいて電源２を切り替えてよい。なお、切替タイミングＴは電源２（１），２（２）の何れかの位相と同期してもよいし、非同期でもよい。本動作例では一例として、切替タイミングＴは、図中にＶｉｎ（１）のグラフで示されるように、電源２（１）に異常が発生したタイミングであり、電源２（１）の交流電力が正電圧をとり、電源２（２）の交流電力が負電圧をとるタイミングである。
【００９５】
切替部５４は、整流回路３Ｕ（１）の正側整流器Ｔｈ１（１）および負側整流器Ｔｈ２（１）を順方向に遮断させるべく、その正側制御端子Ｔｈ１１および負側制御端子Ｔｈ２１を制御する。これにより、電源２（１）からのＵ相の電力供給が停止する。
【００９６】
また、切替部５４は、整流回路３Ｕ（２）の正側整流器Ｔｈ１（２）および負側整流器Ｔｈ２（２）を順方向に導通状態とするべく整流回路３Ｕ（２）の正側制御端子Ｔｈ１１および負側制御端子Ｔｈ２１を制御する。切替部５４は、正常時に電源２（１）を使用する場合の整流回路３Ｕ（１）の制御と同様にして、整流回路３Ｕ（２）を制御してよい。本動作例では電源２（１），２（２）の位相が１８０°異なり、切替タイミングＴでは電源２（１）のＵ相が正電圧、電源２（２）のＵ相が負電圧であるので、切替タイミングＴでは整流回路３Ｕ（１）の正側整流器Ｔｈ（１）がオンからオフに切り替えられ、整流回路３Ｕ（２）の負側整流器Ｔｈ（２）がオフからオンに切り替えられる。これにより、図中左側の破線の矢印記号から、実線の矢印記号に示されるように、使用する交流電力が切り替えられて電流の流れが変化する。
【００９７】
また、駆動制御部５１は、切替部５４は、切り替え前後で供給されるＵ相電圧の正負に応じてスイッチング回路４Ｕの正側半導体スイッチＱ１および負側半導体スイッチＱ２を制御する。本動作例では上述のように、電源２（１），２（２）の位相が１８０°だけ異なり、切替タイミングＴでは電源２（１）のＵ相が正電圧、電源２（２）のＵ相が負電圧である。そのため、切替タイミングＴでは、負側半導体スイッチＱ２をオフにして正側半導体スイッチＱ１をオンオフさせる制御から、正側半導体スイッチＱ１をオフにして負側半導体スイッチＱ２をオンオフさせる制御に切り替えられる。これにより、図中、右側のＩＬ１，ＩＬ２のグラフに示されるように、電源２（１）に起因する直流電力が正側リアクトルＬ１に流れて正側キャパシタＣｄ１に保持される状態から、電源２（２）に起因する直流電力が負側リアクトルＬ２に流れて負側キャパシタＣｄ２に保持される状態へと切り替わる。
【００９８】
以上の動作によれば、電源２（１）が正電圧かつ電源２（２）が負電圧の切替タイミングＴで電源２（１）から電源２（２）に使用対象が切り替えられる場合に、整流回路３Ｕ（１）の正側整流器Ｔｈ１（１）および負側整流器Ｔｈ２（１）をゲートオフしても、電源２（１）からの交流電圧がゼロになるまでの間には正側整流器Ｔｈ１から正側リアクトルＬ１に電流が流れ得る。しかしながら、この時点で電源２（２）からの電流を流すべく整流回路３Ｕ（２）の正側整流器Ｔｈ２（１）および負側整流器Ｔｈ２（２）が順方向に導通しても短絡経路が形成されない。よって、短絡を防止するべく電源２（２）からの電力供給を遅らせる必要が無いため、電力供給を瞬断させずに維持することができる。なお、整流回路３Ｕ（１）の正側整流器Ｔｈ１（１）および負側整流器Ｔｈ２（１）と、整流回路３Ｕ（２）の正側整流器Ｔｈ２（１）および負側整流器Ｔｈ２（２）とを一時的にそれぞれ順方向に導通させて電源２（１），２（２）の両方から電力供給を受けてもよい。整流回路３Ｕ（１）の正側整流器Ｔｈ１（１）をゲートオフした後に正側リアクトルＬ１に流れる電流は、正側半導体スイッチＱ１がオフに維持されることで速やかに減衰される。このように、本動作例によれば、電源２（１）、２（２）の間で極性、周波数、位相等が同期していない場合でも、無瞬断で使用対象の電源２を切り替えることが可能となる。
【００９９】
［６．電源２の切替処理］
図６は、本実施形態に係る電源２の切替処理を示す。制御装置５は、ステップＳ１〜ステップＳ１９の処理を行うことにより、電源２に異常が生じた場合に使用対象の電源２を切り替える。なお、本実施形態では一例として、三相交流電圧の瞬時電圧は１ｋＨｚ等のサンプリング周期で逐次、測定されて算出部５３０に供給されることとして説明するが、算出部５３０による比較対象値Σの算出タイミングに合わせて測定が行われてもよい。
【０１００】
ステップＳ１において算出部５３０は電源２（１）についての比較対象値Σ（１）を算出する。
【０１０１】
ステップＳ３において第２判定部５３２は、電源２（１）の比較対象値Σ（１）が第２基準値Ｋ２を下回るか否かにより電源２（１）が異常状態であるか否かを判定する。第２判定部５３２は、電源２（１）の比較対象値Σ（１）が第２基準値Ｋ２を下回ったことに応じて当該電源２（１）を異常状態と判定してよい。
【０１０２】
ステップＳ３において電源２（１）が異常状態と判定された場合（ステップＳ３；Ｙｅｓ）には、制御装置５は処理をステップＳ７に移行する。電源２（１）が正常状態と判定された場合（ステップＳ３；Ｎｏ）には、制御装置５は処理をステップＳ５に移行する。
【０１０３】
ステップＳ５において、第１判定部５３１は、比較対象値Σ（１）が第１基準時間にわたって第１基準値Ｋ１を断続的に下回るか否かにより電源２（１）が異常状態であるか否かを判定する。第１判定部５３１は、比較対象値Σ（１）が第１基準時間にわたって第１基準値Ｋ１を断続的に下回ったことに応じて電源２（１）を異常状態と判定してよい。
【０１０４】
第１判定部５３１は、第１基準時間（本実施形態では一例として１０秒）の時間幅を有するタイムウィンドウを逐次シフトし、当該タイムウィンドウ内の複数のタイミングそれぞれでの比較対象値Σ（１）が第１基準値Ｋを断続的に下回ったことに応じて電源２（１）を異常状態と判定してよい。例えば、第１判定部５３１は、少なくともタイムウィンドウの両端部のそれぞれで比較対象値Σ（１）が第１基準値Ｋを下回ったことに応じて電源２（１）を異常状態と判定してよい。第１判定部５３１は、第１基準時間内に比較対象値Σが第１基準値Ｋを下回った回数が基準数より多いことに応じて電源２を異常と判定してもよい。一例として、比較対象値Σ（１）と第１基準値Ｋ１との比較周期が１００Ｈｚであり、第１基準時間が１０秒である場合、つまり第１基準時間内の比較回数が１０００回である場合には、基準数は８００であってよい。第１判定部５３１は、第１基準時間よりも短い第２基準時間（本実施形態では一例として１秒）にわたり比較対象値Σ（１）が連続的に第１基準値Ｋ以上である期間がタイムウィンドウ内に存在する場合には、電源２（１）が異常状態になったとは判定しなくてもよい。
【０１０５】
ステップＳ５において電源２（１）が異常状態と判定された場合（ステップＳ５；Ｙｅｓ）には、制御装置５は処理をステップＳ７に移行する。電源２（１）が正常状態と判定された場合（ステップＳ５；Ｎｏ）には、制御装置５は処理をステップＳ１に移行する。なお、ステップＳ５において電源２（１）が正常と判定されてステップＳ１に移行する周期は一例として１００Ｈｚであってよい。
ステップＳ７において算出部５３０は電源２（２）についての比較対象値Σ（２）を算出する。
【０１０６】
ステップＳ９において判定部５３は、切り替え先の電源２（２）が正常であるか否かを判定する。例えば判定部５３は、第１判定部５３１によって電源２（２）が正常であるか否かを判定してよい。この場合には、第１判定部５３１は、比較対象値Σ（２）が第１基準時間にわたって連続的に第１基準値Ｋ１以上であるか否かにより電源２（２）が正常状態であるか否かを判定する。第１判定部５３１は、比較対象値Σ（２）が第１基準時間にわたって連続的に第１基準値Ｋ以上であることに応じて、電源２（２）が正常状態であると判定してよい。なお、判定部５３は、第１判定部５３１および第２判定部５３２のそれぞれによって電源２（２）が正常であるか否かを判定し、これらの判定結果の論理積によって判定を行ってもよい。
【０１０７】
ステップＳ９において電源２（２）が正常状態と判定された場合（ステップＳ９；Ｙｅｓ）には、制御装置５は処理をステップＳ１３に移行する。電源２（２）が異常状態と判定された場合（ステップＳ９；Ｎｏ）には、制御装置５は処理をステップＳ１１に移行する。
【０１０８】
ステップＳ１１において制御装置５は、図示しない報知手段によって、電源２（１），２（２）の両方に異常が生じていることをオペレータに報知してよい。ステップＳ１１の処理後に制御装置５は処理を終了してよい。
【０１０９】
ステップＳ１３において切替部５４は、電源２（１）から電源２（２）に使用対象を切り替える。切替部５４は、整流回路３の導通状態、遮断状態を制御することで電源２の使用対象を切り替えてよい。なお、本実施形態では電源２（２）は非常用であるため、電源２（１）が正常状態に復帰した場合には電源２（２）から電源２（１）に使用対象が切り替えられることが好ましい。
ステップＳ１５において算出部５３０は電源２（１）についての比較対象値Σ（１）を算出する。
【０１１０】
ステップＳ１７において判定部５３は、電源２（１）が正常状態に復帰したか否かを判定する。例えば判定部５３は、第１判定部５３１によって電源２（１）が正常であるか否かを判定してよい。この場合には、第１判定部５３１は、比較対象値Σ（１）が第１基準時間にわたって連続的に第１基準値Ｋ１以上であるか否かにより電源２（１）が正常状態になったか否かを判定する。例えば、第１判定部５３１は、比較対象値Σ（１）が第１基準時間にわたって連続的に第１基準値Ｋ以上であることに応じて、電源２（１）が正常状態になったと判定してよい。第１判定部５３１は、電源２（１）が正常状態から異常状態になったと判定する場合の第１基準値Ｋと、電源２（１）が異常状態から正常状態になったと判定する場合の第１基準値Ｋとにヒステリシス特性を持たせてよく、一例として、ステップＳ５での第１基準値ＫよりもステップＳ１７での第１基準値Ｋを高くしてよい。なお、判定部５３は、第１判定部５３１および第２判定部５３２のそれぞれによって電源２（１）が正常であるか否かを判定し、これらの判定結果の論理積によって判定を行ってもよい。
【０１１１】
ステップＳ１７において電源２（１）が異常状態と判定された場合（ステップＳ１７；Ｎｏ）には、制御装置５は処理をステップＳ１５に移行する。なお、ステップＳ１７において電源２（１）が異常と判定されてステップＳ１５に移行する周期は一例として１００Ｈｚであってよい。電源２（１）が正常状態と判定された場合（ステップＳ１７；Ｙｅｓ）には、制御装置５は処理をステップＳ１９に移行する。
【０１１２】
ステップＳ１９において切替部５４は、上述のステップＳ１４と同様にして電源２（２）から電源２（１）に使用対象を切り替える。そして、ステップＳ１の処理後に制御装置５は処理をステップＳ１に移行する。なお、ステップＳ１に処理が移行することでステップＳ１３、Ｓ１９による電源２の切り替えが繰り返し行われる場合には、切替部５４は、切り替え頻度が基準頻度（一例として１分当たり３回）を超えたことに応じて、判定部５３による判定結果によらず電源２（２）を使用対象としてよい。これにより、判定結果が不安定な場合に使用対象が頻繁に変更されるのが防止される。
【０１１３】
以上の切替処理によれば、電源２（１）を異常状態と判定している場合に、電源２（１）についての比較対象値Σ（１）が第１基準時間にわたって連続的に第１基準値以上であることに応じて電源２（１）が正常状態になったと判定されるので、電源２（１）が不安定な状態で正常状態と誤判定されて使用されるのを防止することができる。
【０１１４】
また、逐次シフトされるタイムウィンドウ内の複数のタイミングそれぞれでの比較対象値Σが第１基準値Ｋを断続的に下回ったことに応じて電源２が異常状態と判定されるので、電源２の瞬時低下の有無の判定を逐次、行うことができる。
【０１１５】
また、電源２が正常状態と判定されている場合に、タイムウィンドウ内で第２基準時間（一例として１秒）にわたり比較対象値Σが連続的に第１基準値Ｋ以上である場合には、電源２が異常状態になったとは判定しないので、電源２を異常状態と誤判定してしまうのを防止することができる。
【０１１６】
また、第１基準時間内に比較対象値Σが第１基準値Ｋを下回った回数が基準数より多いことに応じて電源２を異常と判定するので、比較対象値Σが第１基準値Ｋを下回る頻度に偏りがある場合であっても、判定を正確に行うことができる。
【０１１７】
また、電源２（１）が正常状態から異常状態になったと判定する場合のステップＳ５での第１基準値Ｋよりも、電源２（１）が異常状態から正常状態になったと判定する場合のステップＳ１７での第１基準値Ｋが高くされるので、比較対象値Σが第１基準値Ｋの近傍で変動する場合に電源２（１）の状態の判定結果を安定させることができる。
【０１１８】
［７．動作例］
図７は、電源２の切り替えを行わない場合の比較対象値Σ（１）を示す。なお、本図と、後述の図８、図９では縦軸は比較対象値Σ、横軸は時間（ｍｓ）を示す。この動作例では、電源２（１）の電圧に１５％の瞬時低下が生じた結果、比較対象値Σ（１）が第１基準値Ｋ１よりも上側で変動する。この場合には、電源２（１）が異常とは判定されず、電源２（２）への切り替えは行われない。
【０１１９】
図８は、電源２の切り替えを行う場合の比較対象値Σ（１）を示す。なお、図中の太線のグラフはＵ相、Ｖ相およびＷ相に停電が生じた場合の比較対象値Σ（１）を示し、細線のグラフは電源２（１）の電圧に３５％の瞬時低下が生じた場合の比較対象値Σ（１）を示す。これらの太線および細線の動作例では、時点ｔ１，ｔ２で比較対象値Σ（１）が第２基準値Ｋ２を下回るため、電源２（１）が異常と判定されて電源２（２）への切り替えが行われる。
【０１２０】
図９は、電源２の切り替えを行う場合の比較対象値Σ（１）を示す。この動作例では、電源２（１）の電圧に２５％の瞬時低下が生じた結果、比較対象値Σ（１）が第１基準時間にわたって第１基準値Ｋ１を断続的に下回るため、時点ｔ３で電源２（１）が異常と判定されて電源２（２）への切り替えが行われる。
【０１２１】
［８．変形例］
なお、上記の実施形態においては、電源２が電源装置１に具備されることとして説明したが、電源装置１の外部に設けられてもよい。また、電圧測定部５０および駆動制御部５１が制御装置５に具備されることとして説明したが、これらの少なくとも一方は制御装置５の外部に設けられてもよい。
【０１２２】
また、判定部５３は、電源２（１），２（２）の状態を判定することとして説明したが、電源２（１）の状態のみを判定し、電源２（２）の判定を行わなくてもよい。この場合には、制御装置５は、上述のステップ９の処理を行わずに、電源２（１）が異常と判定された場合に電源２（２）への切り替えを行ってよい。
【０１２３】
また、各相の２つの整流回路３（１），３（２）と正側出力端子１０１との間に正側リアクトルＬ１が接続され、２つの整流回路３（１），３（２）と負側出力端子１０２との間に負側リアクトルＬ２が接続されることとして説明したが、これに加えて／代えて、他の位置にリアクトルが設けられてもよい。例えば、リアクトルは整流回路３毎に設けられてもよい。つまり、複数の整流回路３のそれぞれに対応してリアクトルが設けられてもよい。一例として、各リアクトルは、それぞれの整流回路３の交流入力端子３１と、対応する電源２（１），２（２）との間に接続されてよい。この場合には、複数のリアクトルのうち、使用する電源２に対応するリアクトルが電圧の正負に関わらず連続的に導通し、他のリアクトルが非導通状態となる。
【０１２４】
また、正側整流器Ｔｈ１および負側整流器Ｔｈ２をサイリスタとして説明したが、逆阻止ＩＧＢＴ等の他の半導体スイッチでもよい。上述のように、自己消弧能力を持つ半導体素子は損失が大きい傾向があるため、低損失の素子を用いることが好ましい。
【０１２５】
また、三相交流電圧の瞬時電圧をＵ相、Ｖ相およびＷ相の相電圧として説明したが、ＵＶ相、ＵＷ相およびＷＵ相の相間電圧としてもよい。
【０１２６】
また、電源２（２）を三相交流電源として説明したが、直流電源としてもよい。この場合には、電源２（２）からの電力は整流回路３に供給されずに、正側出力端子１０１および負側出力端子１０２から直接出力されてもよい。
【０１２７】
また、本発明の様々な実施形態は、フローチャートおよびブロック図を参照して記載されてよく、ここにおいてブロックは、（１）操作が実行されるプロセスの段階または（２）操作を実行する役割を持つ装置のセクションを表わしてよい。特定の段階およびセクションが、専用回路、コンピュータ可読媒体上に格納されるコンピュータ可読命令と共に供給されるプログラマブル回路、およびコンピュータ可読媒体上に格納されるコンピュータ可読命令と共に供給されるプロセッサの少なくとも１つによって実装されてよい。専用回路は、デジタルおよびアナログの少なくとも一方のハードウェア回路を含んでよく、集積回路（ＩＣ）およびディスクリート回路の少なくとも一方を含んでよい。プログラマブル回路は、論理ＡＮＤ、論理ＯＲ、論理ＸＯＲ、論理ＮＡＮＤ、論理ＮＯＲ、および他の論理操作、フリップフロップ、レジスタ、フィールドプログラマブルゲートアレイ（ＦＰＧＡ）、プログラマブルロジックアレイ（ＰＬＡ）等のようなメモリ要素等を含む、再構成可能なハードウェア回路を含んでよい。
【０１２８】
コンピュータ可読媒体は、適切なデバイスによって実行される命令を格納可能な任意の有形なデバイスを含んでよく、その結果、そこに格納される命令を有するコンピュータ可読媒体は、フローチャートまたはブロック図で指定された操作を実行するための手段を作成すべく実行され得る命令を含む、製品を備えることになる。コンピュータ可読媒体の例としては、電子記憶媒体、磁気記憶媒体、光記憶媒体、電磁記憶媒体、半導体記憶媒体等が含まれてよい。コンピュータ可読媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭまたはフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ-ＲＯＭ）、デジタル多用途ディスク（ＤＶＤ）、ブルーレイ（ＲＴＭ）ディスク、メモリスティック、集積回路カード等が含まれてよい。
【０１２９】
コンピュータ可読命令は、アセンブラ命令、命令セットアーキテクチャ（ＩＳＡ）命令、マシン命令、マシン依存命令、マイクロコード、ファームウェア命令、状態設定データ、またはＳｍａｌｌｔａｌｋ、ＪＡＶＡ（登録商標）、Ｃ＋＋等のようなオブジェクト指向プログラミング言語、および「Ｃ」プログラミング言語または同様のプログラミング言語のような従来の手続型プログラミング言語を含む、１または複数のプログラミング言語の任意の組み合わせで記述されたコードまたはオブジェクトコードのいずれかを含んでよい。
【０１３０】
コンピュータ可読命令は、汎用コンピュータ、特殊目的のコンピュータ、若しくは他のプログラム可能なデータ処理装置のプロセッサまたはプログラマブル回路に対し、ローカルにまたはローカルエリアネットワーク（ＬＡＮ）、インターネット等のようなワイドエリアネットワーク（ＷＡＮ）を介して提供され、フローチャートまたはブロック図で指定された操作を実行するための手段を作成すべく、コンピュータ可読命令を実行してよい。プロセッサの例としては、コンピュータプロセッサ、処理ユニット、マイクロプロセッサ、デジタル信号プロセッサ、コントローラ、マイクロコントローラ等を含む。
【０１３１】
図１０は、本発明の複数の態様が全体的または部分的に具現化されてよいコンピュータ２２００の例を示す。コンピュータ２２００にインストールされたプログラムは、コンピュータ２２００に、本発明の実施形態に係る装置に関連付けられる操作または当該装置の１または複数のセクションとして機能させることができ、または当該操作または当該１または複数のセクションを実行させることができ、これに加えて、またはこれに代えて、コンピュータ２２００に、本発明の実施形態に係るプロセスまたは当該プロセスの段階を実行させることができる。そのようなプログラムは、コンピュータ２２００に、本明細書に記載のフローチャートおよびブロック図のブロックのうちのいくつかまたはすべてに関連付けられた特定の操作を実行させるべく、ＣＰＵ２２１２によって実行されてよい。
【０１３２】
本実施形態によるコンピュータ２２００は、ＣＰＵ２２１２、ＲＡＭ２２１４、グラフィックコントローラ２２１６、およびディスプレイデバイス２２１８を含み、それらはホストコントローラ２２１０によって相互に接続されている。コンピュータ２２００はまた、通信インターフェイス２２２２、ハードディスクドライブ２２２４、ＤＶＤ−ＲＯＭドライブ２２２６、およびＩＣカードドライブのような入出力ユニットを含み、それらは入出力コントローラ２２２０を介してホストコントローラ２２１０に接続されている。コンピュータはまた、ＲＯＭ２２３０およびキーボード２２４２のようなレガシの入出力ユニットを含み、それらは入出力チップ２２４０を介して入出力コントローラ２２２０に接続されている。
【０１３３】
ＣＰＵ２２１２は、ＲＯＭ２２３０およびＲＡＭ２２１４内に格納されたプログラムに従い動作し、それにより各ユニットを制御する。グラフィックコントローラ２２１６は、ＲＡＭ２２１４内に提供されるフレームバッファ等またはそれ自体の中にＣＰＵ２２１２によって生成されたイメージデータを取得し、イメージデータがディスプレイデバイス２２１８上に表示されるようにする。
【０１３４】
通信インターフェイス２２２２は、ネットワークを介して他の電子デバイスと通信する。ハードディスクドライブ２２２４は、コンピュータ２２００内のＣＰＵ２２１２によって使用されるプログラムおよびデータを格納する。ＤＶＤ−ＲＯＭドライブ２２２６は、プログラムまたはデータをＤＶＤ−ＲＯＭ２２０１から読み取り、ハードディスクドライブ２２２４にＲＡＭ２２１４を介してプログラムまたはデータを提供する。ＩＣカードドライブは、プログラムおよびデータをＩＣカードから読み取り、これに加えて、またはこれに代えてプログラムおよびデータをＩＣカードに書き込む。
【０１３５】
ＲＯＭ２２３０はその中に、アクティブ化時にコンピュータ２２００によって実行されるブートプログラム等、およびコンピュータ２２００のハードウェアに依存するプログラムの少なくとも１つを格納する。入出力チップ２２４０はまた、様々な入出力ユニットをパラレルポート、シリアルポート、キーボードポート、マウスポート等を介して、入出力コントローラ２２２０に接続してよい。
【０１３６】
プログラムが、ＤＶＤ−ＲＯＭ２２０１またはＩＣカードのようなコンピュータ可読媒体によって提供される。プログラムは、コンピュータ可読媒体から読み取られ、コンピュータ可読媒体の例でもあるハードディスクドライブ２２２４、ＲＡＭ２２１４、またはＲＯＭ２２３０にインストールされ、ＣＰＵ２２１２によって実行される。これらのプログラム内に記述される情報処理は、コンピュータ２２００に読み取られ、プログラムと、上記様々なタイプのハードウェアリソースとの間の連携をもたらす。装置または方法が、コンピュータ２２００の使用に従い情報の操作または処理を実現することによって構成されてよい。
【０１３７】
例えば、通信がコンピュータ２２００および外部デバイス間で実行される場合、ＣＰＵ２２１２は、ＲＡＭ２２１４にロードされた通信プログラムを実行し、通信プログラムに記述された処理に基づいて、通信インターフェイス２２２２に対し、通信処理を命令してよい。通信インターフェイス２２２２は、ＣＰＵ２２１２の制御下、ＲＡＭ２２１４、ハードディスクドライブ２２２４、ＤＶＤ−ＲＯＭ２２０１、またはＩＣカードのような記録媒体内に提供される送信バッファ処理領域に格納された送信データを読み取り、読み取られた送信データをネットワークに送信し、またはネットワークから受信された受信データを記録媒体上に提供される受信バッファ処理領域等に書き込む。
【０１３８】
また、ＣＰＵ２２１２は、ハードディスクドライブ２２２４、ＤＶＤ−ＲＯＭドライブ２２２６（ＤＶＤ−ＲＯＭ２２０１）、ＩＣカード等のような外部記録媒体に格納されたファイルまたはデータベースの全部または必要な部分がＲＡＭ２２１４に読み取られるようにし、ＲＡＭ２２１４上のデータに対し様々なタイプの処理を実行してよい。ＣＰＵ２２１２は次に、処理されたデータを外部記録媒体にライトバックする。
【０１３９】
様々なタイプのプログラム、データ、テーブル、およびデータベースのような様々なタイプの情報が記録媒体に格納され、情報処理を受けてよい。ＣＰＵ２２１２は、ＲＡＭ２２１４から読み取られたデータに対し、本開示の随所に記載され、プログラムの命令シーケンスによって指定される様々なタイプの操作、情報処理、条件判断、条件分岐、無条件分岐、情報の検索，置換等を含む、様々なタイプの処理を実行してよく、結果をＲＡＭ２２１４に対しライトバックする。また、ＣＰＵ２２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ２２１２は、第１の属性の属性値が指定される、条件に一致するエントリを当該複数のエントリの中から検索し、当該エントリ内に格納された第２の属性の属性値を読み取り、それにより予め定められた条件を満たす第１の属性に関連付けられた第２の属性の属性値を取得してよい。
【０１４０】
上で説明したプログラムまたはソフトウェアモジュールは、コンピュータ２２００上またはコンピュータ２２００近傍のコンピュータ可読媒体に格納されてよい。また、専用通信ネットワークまたはインターネットに接続されたサーバーシステム内に提供されるハードディスクまたはＲＡＭのような記録媒体が、コンピュータ可読媒体として使用可能であり、それによりプログラムを、ネットワークを介してコンピュータ２２００に提供する。
【０１４１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１４２】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１４３】
１電源装置、２  電源、３  整流回路、４  スイッチング回路、５  制御装置、３１  交流入力端子、５０  電圧測定部、５１  駆動制御部、５３  判定部、５４  切替部、１０１  正側出力端子、１０２  負側出力端子、５１０  電圧取得部、５１１  電圧取得部、５１２  スイッチ、５１３  極性判別部、５１４  電流測定部、５１５  電流測定部、５１６  スイッチ、５２１  電圧測定部、５２２  電圧制御部、５２５  乗算器、５２７  減算器、５２９  電流制御部、５３０  算出部、５３１  第１判定部、５３２  第２判定部、２２００  コンピュータ、２２０１  ＤＶＤ−ＲＯＭ、２２１０  ホストコントローラ、２２１２  ＣＰＵ、２２１４  ＲＡＭ、２２１６  グラフィックコントローラ、２２１８  ディスプレイデバイス、２２２０  入出力コントローラ、２２２２  通信インターフェイス、２２２４  ハードディスクドライブ、２２２６  ＤＶＤ−ＲＯＭドライブ、２２３０  ＲＯＭ、２２４０  入出力チップ、２２４２  キーボード
【図１】
2020089017.tif 000003
【図２】
2020089017.tif 000004
【図３】
2020089017.tif 000005
【図４】
2020089017.tif 000006
【図５】
2020089017.tif 000007
【図６】
2020089017.tif 000008
【図７】
2020089017.tif 000009
【図８】
2020089017.tif 000010
【図９】
2020089017.tif 000011
【図１０】
2020089017.tif 000012